(57)【要約】【課題】解決しようとする点は、記載欄に対しシークレットのメッセージを記載するときに枠により制約を受けて、記載するのが困難なことと、その記載欄に記載したメッセージを隠蔽するための嵌込板片の作成にコストが嵩み、しかも、その嵌込板片を、メッセージを隠蔽する状態位置に確実に保持させるようにするのが困難な点にある。【解決手段】はがき基板１に連続する舌片状の切起片３を、切込線ａの内側位置に保持される状態に形成し、この切起片３のはがき基板１の裏面側１ｂに向かう面に、絵・文などのシークレットのメッセージの記載面３０を形成し、宛名書きシート２には、表面側２ａに宛名の記載面２０を形成し、裏面側２ｂには、周縁部位に、剥離紙５の剥離により貼着可能となる接着剤４を塗着し、切起片３と対向する部位にシークレットのメッセージを記載する記載面２１に形成する。【選択図】図３
0003106435.tif 000002
【実用新案登録請求の範囲】
【請求項１】
通常の郵便はがきまたは官製はがき等の厚手の紙板よりなるはがき基板１と、該はがき基板１と別体に形成してそのはがき基板１の表面側１ａに接着剤４により貼着する宛名書きシート２とからなり、はがき基板１には、それの表面側１ａの周縁部を外した部位の適宜個所に、一部に開裂部ｂのある囲い枠状の切込線ａを設けて、その切込線ａで囲われる部位に、切込線ａのない開裂部ｂの部位において、はがき基板１に連続する舌片状の切起片３を、切込線ａの内側位置に保持される状態に形成し、この切起片３のはがき基板１の裏面側１ｂに向かう面に、絵・文などのシークレットのメッセージの記載面３０を形成し、宛名書きシート２には、表面側２ａに宛名の記載面２０を形成し、裏面側２ｂには、周縁部位に、剥離紙５の剥離により貼着可能となる接着剤４を塗着し、切起片３と対向する部位にシークレットのメッセージを記載する記載面２１に形成したことを特徴とする切起片付きの通信はがき。
【請求項２】
舌片状の切起片３を形成する囲い枠状の切込線ａの一部に、切込線ａの無い状態に形成する開裂部ｂを、はがき基板１の素材のままの未加工の状態としておくことを特徴とする請求項１記載の切起片付きの通信はがき。
【請求項３】
はがき基板１の周縁部を外した部位に、舌片状の切起片３を形成するための開裂部ｂのある囲い枠状の切込線ａにより形成する切起片３を、複数個所に設けることを特徴とする請求項１記載の切起片付きの通信はがき。
【請求項４】
一部に開裂部ｂのある囲い枠状の切込線ａにより形成する舌片状の切起片３を、一辺が開裂部ｂとしてはがき基板１に連続し三辺が切込線ａによりはがき基板１から切り離される角板状に形成することを特徴とする請求項１記載の切起片付きの通信はがき。
【請求項５】
はがき基板１と別体に形成する宛名書きシート２の裏面側２ｂで、はがき基板１に貼着したときにはがき基板１に形成した切起片３と対向する部位に、所望の絵を記載しておくことを特徴とする請求項１記載の切起片付きの通信はがき。
【請求項６】
宛名書きシート２の裏面側２ｂで、はがき基板１に貼着したときに、はがき基板１に形成した切起片３と対向する部位の一部に、切起片３の当接により接着する剥離可能の糊を塗着しておくことを特徴とする請求項１記載の切起片付きの通信はがき。
【考案の詳細な説明】
【技術分野】
【０００１】
本考案は、年賀状・暑中見舞い・引越の連絡・結婚のあいさつなどの、情報伝達に用いる通信はがきのうちで、厚手の紙板で形成するはがき基板に、切起片を具備せしめる形態の通信はがきに関する。
【背景技術】
【０００２】
この種の郵便はがきとしては、はがき基板の裏面側に、中央部位に窓穴状の空間を形成した窓枠状の枠板を、それの窓穴状の空間に、嵌合板片を取り外し可能に嵌め込み、はがき基板の表面側に宛名記載欄を形成し、裏面側には、前記枠板の窓穴状の枠穴と対応する部位に、メッセージ記載欄を形成しているものがある。
【０００３】
この郵便はがきは、それの裏面の、メッセージ記載欄に記載するメッセージが、裏面に貼着した枠板の枠穴に嵌め込まれる嵌合板片により隠されるようになることから、伝達する情報の保護と同時に情報を効果的に伝達し得るようになる。
【０００４】
しかし、はがきの裏面のメッセージの記載欄を隠すようそのはがきの裏面に貼着する枠板およびそれの枠内に嵌め込む嵌合板片を、作成するのにコストがかかり、また、はがき裏面の記載欄へのメッセージの記載を、枠板の枠内に嵌め込んである嵌合板片を取り外すことにより、はがきの裏面で、枠板の枠の内側空間を介して露出してくる部位に対し、その枠の内側空間において書き込むことで行なうことから、書き込みがしづらい。
【０００５】
また、郵便はがきが郵便局において宛名の読取機にかけられるときに、枠板の枠内に嵌め込まれた嵌合板片が脱落するおそれがある、等の問題はある。
【特許文献１】特開２００２−２４０４７１号公報
【考案の開示】
【考案が解決しようとする課題】
【０００６】
本考案において解決しようとする点は、記載欄に対しメッセージを記載するときに枠により制約を受けて、記載するのが困難なことと、その記載欄に記載したメッセージを隠蔽するための嵌込板片の作成にコストが嵩み、しかも、その嵌込板片を、メッセージを隠蔽する状態位置に確実に保持させるようにするのが困難な点にある。
【課題を解決するための手段】
【０００７】
本考案においては、上述の課題を解決するための手段として、請求項１に記載したような、
通常の郵便はがきまたは官製はがき等の厚手の紙板よりなるはがき基板１と、該はがき基板１と別体に形成してそのはがき基板１の表面側１ａに接着剤４により貼着する宛名書きシート２とからなり、はがき基板１には、それの表面側１ａの周縁部を外した部位の適宜個所に、一部に開裂部ｂのある囲い枠状の切込線ａを設けて、その切込線ａで囲われる部位に、切込線ａのない開裂部ｂの部位において、はがき基板１に連続する舌片状の切起片３を、切込線ａの内側位置に保持される状態に形成し、この切起片３のはがき基板１の裏面側１ｂに向かう面に、絵・文などのシークレットのメッセージの記載面３０を形成し、宛名書きシート２には、表面側２ａに宛名の記載面２０を形成し、裏面側２ｂには、周縁部位に、剥離紙５の剥離により貼着可能となる接着剤４を塗着し、切起片３と対向する部位にシークレットのメッセージを記載する記載面２１に形成したことを特徴とする切起片付きの通信はがき。
を提起するものである。
【考案の効果】
【０００８】
本考案手段による切起片付きの通信はがきは、シークレットのメッセージの記載面にメッセージを記載する操作が容易に行え、そのメッセージを隠蔽するための切起片を、安価なコストで作れ、しかも、シークレットのメッセージを蔽い隠す位置に適確に保持せしめ得るようになる。
【考案を実施するための最良の形態】
【０００９】
本考案による通信はがきＡは、厚手の紙板よりなるはがき基板１と、それの宛名の記載面１０となる表面側１ａに接着する宛名書きシート２とを用い、はがき基板１には、それに形設する切込線ａにより、該はがき基板１の通信文の記載面１１となる裏面側１ｂの外面に向けて引き起こしを可能とする舌片状の切起片３を形設しておき、また、宛名書きシート２は、それの表面側２ａを宛名の記載面２０に形成し、はがき基板１の表面側１ａに接着する裏面側２ｂには、周縁部に接着剤４を枠縁状に塗着して、その上に、接着剤を塗布した部位に倣う枠縁状に形成した剥離紙５を剥離可能に貼付して接着剤が効かない状態とし、その枠縁状の剥離紙５で囲われる部位をシークレットのメッセージ記載面２１に形成しておいて、通信に使用するときに、宛名書きシート２の表面側２ａに宛名を印字または書き込み、裏面側２ｂのシークレットのメッセージ記載面２１に、所望のメッセージまたは絵を記載したところで、剥離紙５をはぎとって、はがき基板１の表面側１ａに貼着し、はがき基板１の裏面側１ｂの通信文の記載面１１に所望の通信文を記載して郵送するように構成する。
【００１０】
この本考案手段による通信はがきにおいて、はがき基板１は、通常の私製の郵便はがきまたは官製はがきをそのまま用いてよい。
【００１１】
宛名書きシート２は、通常使用されている、はがきの中央部位を横切る広さの宛名書きシートと同様の大きさのシートとし、これを、はがき基板１の表面側１ａの中央部位に貼着するようにしてよいが、はがき基板１の表面側１ａの、切手貼付部１２と郵便番号の記入欄１３とがある上縁部を除いた中央部から下縁に渡る範囲に重合する広さのシートに形成して、これを貼着するようにしてもよく、その広さおよび形状は、はがき基板１の表面側に対する切手の貼付および郵便番号の記入に支障を与えない範囲で適宜の大きさ・形状に形成してよい。
【００１２】
はがき基板１に、切込線ａを施す加工により形成する舌片状の切起片３は、はがき基板１に官製はがきを用いた場合にあっては、切手および郵便番号の記入欄が印刷されている上縁部を除いた範囲に形成する。また、私製のはがきをはがき基板１に用いた場合にあっても、切手の貼付欄、郵便番号の記載欄が印刷されている上縁部を除いたエリアに形成する。
【００１３】
この切込線ａにより切り起こしを可能に形成する舌片状の切起片３の形状は任意に選択してよい。例えば、切込線ａを、平面視において、四角形の三辺において連続し、一辺が開放した囲い枠状に形成することで、切込線ａのない一辺をヒンジとして切込線ａで囲われた部分を引き起こし可能とする四角形の舌片状に形成する場合、または、切込線ａを、平面視において、周方向の一部に開裂部ｂのあるリング状に形成することで、この切込線ａの無い開裂部ｂの部位をヒンジとして切込線ａで囲われた円板状部が起立可能となるよう円形状に形成する場合、等適宜の形状に形成してよいものである。
【００１４】
また、このように、切込線ａにより形成する切起片３は、切込線ａを複数個所に設けることで、複数個が並列するようにしてよい。
【００１５】
この切込線ａで形成する舌片状の切起片３は、通信はがきＡの郵送の途中においては、切込線ａ内に嵌合した状態に保持されるようにしておくことが望ましいので、切込線ａの無いヒンジとする開裂部ｂには、折れ線などは設けずに、はがき基板１の素材により連続した状態としておいて、そのはがき基板１自体の素材をもって、切込線ａ内に嵌合した状態位置に保持させることが有効である。
【００１６】
また、この切起片３の、はがき基板１の裏面側１ｂに向かう面は、切込線ａ内に嵌合した状態においては、はがき基板１の裏面側１ｂの通信文の記載面１１と連続する状態となることから、そのまま通信文の記載面１１の一部に利用してよい。そして、この切起片３の、はがき基板１の表面側１ａに向かう面は、そのはがき基板１の表面側に貼着する宛名書きシート２により外部に対し遮蔽されることから、シークレットのメッセージの記載面に利用し、切起片３を引き起こしたときに、そのメッセージが露出してくるようにしてよい。
【００１７】
宛名書きシート２は、それの表面側２ａには、通常の宛名書きシートと同様に宛名の記載面を形成するが、裏面側２ｂには、はがき基板１の表面側１ａに貼着するための接着剤４を、周縁部位に縁枠状に塗付し、その塗付した接着剤４の上に、縁枠状に形成した剥離紙５を剥離可能に接着して、他物に対するこの接着剤４による接着が行われないようにし、これにより、宛名書きシート２がはがき基板１と別体に取り扱われるようにしておく。
【００１８】
そして、この宛名書きシート２の、裏面側２ｂで、はがき基板１の表面側１ａに貼着したときに、そのはがき基板１に形設した切起片３と対応する部位に、シークレットのメッセージの記載欄２１を形成しておいて、ここに、絵・図形・文言などの適宜のメッセージを記載するようにする。
【００１９】
この宛名書きシート２の裏面側２ｂの記載欄２１に対するメッセージの記載は、剥離紙５が接着剤４の上に接着されている状態において行い、記載・書き込みが終えた後に、剥離紙５を剥がして、宛名書きシート２をはがき基板１の表面側１ａに貼着するようにする。
【実施例１】
【００２０】
図１乃至図３は、本考案による通信はがきＡの第１の実施例を示す。
図１および図２において、１は、はがき基板、１ａは、それの表面側、１０は、その表面側１ａに形成した宛名の記載面、１２は切手の貼付欄、１３は、郵便番号の記載欄、１ｂは、はがき基板１の裏面側、１１は、その裏面側１ｂに形成した通信文の記載面、ａは、はがき基板１に形設した切込線、３は、その切込線ａにより形成した切起片で、略四角形に形成してある。
【００２１】
２は、このはがき基板１の表面側１ａに貼着する宛名書きシート、２０はそのシート２の表面側２ａに形成した宛名の記載面、４は宛名書きシート２の裏面側２ｂの周縁部に塗着した接着剤、５はその塗着した接着剤４の上に重合して接着した枠縁状の剥離紙、２１は、枠縁状の剥離紙５で囲まれる宛名書きシート２の裏面側２ｂに形成したシークレットの記載面である。
【００２２】
図３は、上述の宛名書きシート２の表面側２ａに所定の宛名を印字または書き込み、裏面側２ｂのシークレットの記載面２１に所望の文言または絵などのメッセージを記載した後に、剥離紙５を引き剥がして接着剤４を露出させ、その接着剤４により宛名書きシート２を、はがき基板１の表面側１ａの所定の部位に重合して貼着し、はがき基板１の裏面側１ｂに所望の通信文を記載して、郵送された状態の通信はがきＡの裏面側１ｂから見た斜視図で、舌片状の切起片３を、囲い枠状の切込線ａの一部に形成した切込線ａの無い開裂部ｂをヒンジとして引き起こした状態を示している。
【００２３】
引き起こした切起片３の裏面側３ａは、シークレットのメッセージの記載面３０に利用してあり、ここにもシークレットのメッセージが記載してある。
【実施例２】
【００２４】
図４および図５は別の実施例を示している。
この実施例は、はがき基板１に、舌片状の切起片３を形成するために施す切込線ａを、２個所に設けて、切起片３を２個設けた例であり、この点を除いたその余の構成は、前述の第１の実施例と変わりがなく、同じ構成部位には同じ符号を付している。
【００２５】
宛名書きシート２の裏面側２ｂ側に塗着する接着剤４は、はがき基板１に設けた２つの切起片３のそれぞれと対応する部位を囲む枠縁状に塗着してあり、また、これに重合して接着しておく剥離紙５も、接着剤４を塗着しておく部位に倣う形状に形成してある。
【実施例３】
【００２６】
図６および図７はさらに別の実施例を示している。
この実施例は、はがき基板１に、切込線ａにより形成する舌片状の切起片３を、ハート型に形成した例である。
【００２７】
このことから、切起片３を形成するための切込線ａは、ハート型の図形の輪郭に沿う囲い枠状に形設してあって、その輪郭形状の一部には切込線ａを刻設しないで、その一部が囲い枠状に連続する切込線ａを開放させた開裂部ｂとなるように形成して、その開裂部ｂをもって、切込線ａで囲われるハート型の切起片３が、はがき基板１に連続し、その切起片３を引き起こすことで、その開裂部ｂをヒンジとして起立してくるようにするが、その開裂部ｂをハート型の図形の一方の側縁部に設けた形状に形設している。
【００２８】
そして、宛名書きシート２の裏面側２ｂに形成するシークレットのメッセージの記載面２１は、宛名書きシート２をそれの裏面側２ｂに塗着した接着剤４の上面に重合して接着しておいた剥離紙５を剥ぎ取って、はがき基板１の表面側１ａの所定の部位に貼着したときに、ハート型の切込線ａで囲われた部位と対向してくる部位に、そのハート型の切込線ａで囲われた部位に倣う輪郭形状に形成してある。また、切起片３は、切込線ａで囲われる部位に嵌合している状態の保持を確実にするため、裏面側３ａの一部に、剥離可能な糊を塗着しておくようにしている。
【００２９】
なお、この点を除いたその余の構成については、実施例１に示したものと変わりはなく、同じ構成部材について同じ符号を付して説明は省略してある。
【産業上の利用可能性】
【００３０】
本考案手段による通信はがきは、メッセージを伝達するカードにもそのまま用いられる。
【図面の簡単な説明】
【００３１】
【図１】本考案を実施せる通信はがきの使用前の状態時における表面側から見た斜視図である。
【図２】同上の通信はがきの裏面側から見た斜視図である。
【図３】同上の通信はがきの使用後の状態時の裏面側から見た斜視図である。
【図４】同上の通信はがきの別の実施例の、使用前の状態時における表面側から見た斜視図である。
【図５】同上の実施例の通信はがきの同上状態時における裏面側から見た斜視図である。
【図６】同上の通信はがきの、さらに別の実施例の使用前の状態時における表面側から見た斜視図である。
【図７】同上実施例の通信はがきの同上状態時における裏面側から見た斜視図である。
【符号の説明】
【００３２】
Ａ…通信はがき、ａ…切込線、ｂ…開裂部、１…はがき基板、１ａ…基板の表面側、１ｂ…基板の裏面側、１０…宛名の記載面、１１…通信文の記載面、１２…切手貼付欄、１３…郵便番号の記入欄、２…宛名書きシート、２ａ…シートの表面側、２ｂ…シートの裏面側、２０…宛名の記載面、２１…メッセージの記載面、３…切起片、３ａ…切起片の裏面側、３０…メッセージの記載面、４…接着剤、５…剥離紙。
【図１】
0003106435.tif 000003
【図２】
0003106435.tif 000004
【図３】
0003106435.tif 000005
【図４】
0003106435.tif 000006
【図５】
0003106435.tif 000007
【図６】
0003106435.tif 000008
【図７】
0003106435.tif 000009